(57)【要約】      （修正有）【課題】箱型の容器の包装用袋による包装作業性を各段に高めて誰でも簡単に包装することができる上、包装後の袋に不要な皺や折り目などが生じないよう密閉状にフィット可能な容器用袋を提供する。【解決手段】対象容器を包囲可能な所要シート巾ＮＷの適所をガゼット巾Ｇ，Ｇとし、全巾ＦＷ＝（ＮＷ+２Ｐ）とし、長手方向寸法ＢＬ+Ｇ+（ＥＰ×２）を単位縦寸法ＦＬとし、その整数倍の長尺とした素材フィルム２に対し、長手方向方端の所定範囲部分（ＥＰ+ＳＲ）だけに拡張箇所用糊代部４０，４０を形成し、それを除く全体または要所要所に糊代部全巾Ｐとする周壁フィット用糊代部４２，４２とし得る形状の接着剤印刷面３が、各単位縦寸法ＦＬ範囲毎に繰り返し模様の如くに形成されてなる容器用袋とするシート素材１０である。【選択図】図１
0003152840.tif 000002
【実用新案登録請求の範囲】
【請求項１】
対象とする容器の断面外周輪郭形状全体を内包状にする最小閉鎖断面形の断面全周長ＯＢを所要シート巾ＮＷとし、同所要シート巾ＮＷの容器左右各周壁最小周囲長に相当する範囲夫々にガゼット巾Ｇ，Ｇを設定し、該所要シート巾ＮＷの左右側縁に設ける筒型結合用の糊代部巾Ｐとした（ＮＷ+２Ｐ）を全巾寸法ＦＷとし、その素材フィルム長手方向を、対象とする容器の胴部長ＢＬに、同容器の前後各周壁最小周囲長の二等分（Ｇ+Ｇ）／２に相当するマチ長Ｇ、および、単位シート部前後端縁夫々に設ける袋端結合用の糊代部長（ＥＰ×２）の合計ＢＬ+Ｇ+（ＥＰ×２）に応じた単位縦寸法ＦＬの整数倍またはそれに適宜端数を加えて長尺とした長さ寸法の素材フィルムに対し、各単位縦寸法ＦＬ範囲内の素材フィルム巾方向左右端縁部分における筒型結合用糊代部の、少なくとも左右何れか一方の筒型結合用糊代部に形成する接着剤印刷面が、同素材フィルム長手方向における少なくとも何れか一方端の所定範囲部分だけに、該素材フィルム巾方向端縁から巾寸法ＰＳ範囲を拡張箇所用糊代部、および、該拡張箇所用糊代部とする長手方向端所定範囲部分を除いた部分の全体または要所要所に、糊代部全巾Ｐとするか、あるいは、実質的に糊代部全巾Ｐに相当する周壁フィット用糊代部とし得る形状の平面形からなるものに形成されていて、長尺の素材フィルムの長手方向全長に渡ってそれら単位縦寸法ＦＬ範囲毎の接着剤印刷面が繰り返し模様の如くに形成されてなるものとしたことを特徴とする容器用袋とするシート素材。
【請求項２】
接着剤印刷面の平面形が、各単位縦寸法ＦＬ範囲内素材フィルム部分の筒型結合用糊代部の、拡張箇所用糊代部とする素材フィルム長手方向における少なくとも何れか一方端の所定範囲部分だけが、その巾方向素材フィルム端縁からの巾寸法を、筒型結合用糊代部全巾Ｐから遊び巾αを差し引いた拡張箇所用となる糊代部の等巾ＰＳであって、それ以外の筒型結合用糊代部を糊代部全巾Ｐとするか、あるいは、実質的に糊代部全巾Ｐに相当する周壁フィット用糊代部として形成されていて、長尺の素材フィルムの長手方向全長に渡ってそれら単位縦寸法ＦＬ範囲毎の接着剤印刷面が繰り返し模様の如くに形成されてなる、請求項１記載の容器用袋とするシート素材。
【請求項３】
接着剤印刷面の平面形が、各単位縦寸法ＦＬ範囲内素材フィルム部分の筒型結合用糊代部の、拡張箇所用糊代部とする素材フィルム長手方向における少なくとも何れか一方端の所定範囲部分だけが、その巾方向素材フィルム端縁からの巾寸法を、筒型結合用糊代部全巾Ｐから遊び巾αを差し引いた拡張箇所用となる糊代部の等巾ＰＳであって、それ以外の筒型結合用糊代部には、その巾方向素材フィルム端縁から遊び巾αを除いた残余の部分に相当する等巾の周壁フィット用糊代部として形成されていて、長尺の素材フィルムの長手方向全長に渡ってそれら単位縦寸法ＦＬ範囲毎の接着剤印刷面が繰り返し模様の如くに形成されてなる、請求項１記載の容器用袋とするシート素材。
【請求項４】
接着剤印刷面の平面形が、各単位縦寸法ＦＬ範囲内素材フィルム部分の筒型結合用糊代部の、拡張箇所用糊代部とする素材フィルム長手方向における少なくとも何れか一方端の所定範囲部分だけが、その巾方向素材フィルム端縁からの巾寸法を、筒型結合用糊代部全巾Ｐから遊び巾αを差し引いた拡張箇所用となる糊代部の等巾ＰＳであって、それ以外の筒型結合用糊代部は、糊代部全巾Ｐに渡って分散状配置とし、実質的に糊代部全巾Ｐに相当する周壁フィット用糊代部のとして形成されていて、長尺の素材フィルムの長手方向全長に渡ってそれら単位縦寸法ＦＬ範囲毎の接着剤印刷面が繰り返し模様の如くに形成されてなる、請求項１記載の容器用袋とするシート素材。
【請求項５】
接着剤印刷面の平面形が、各単位縦寸法ＦＬ範囲内素材フィルム部分の筒型結合用糊代部の、素材フィルム長手方向全長に渡って、その巾方向素材フィルム端縁からの巾寸法を、筒型結合用糊代部全巾Ｐから遊び巾αを差し引いた等巾とし、拡張箇所用糊代部となる素材フィルム長手方向における少なくとも何れか一方端の所定範囲部分を除いた筒型結合用糊代部範囲部分要所要所に、前記等巾部分から内側に向けて突出してその頂部までが筒型結合用糊代部全巾Ｐに相当する周壁フィット用糊代部のとして形成されていて、長尺の素材フィルムの長手方向全長に渡ってそれら単位縦寸法ＦＬ範囲毎の接着剤印刷面が繰り返し模様の如くに形成されてなる、請求項１記載の容器用袋とするシート素材。
【請求項６】
接着剤印刷面の平面形が、各単位縦寸法ＦＬ範囲内素材フィルム部分の筒型結合用糊代部の、素材フィルム長手方向全長に渡って、その巾方向素材フィルム端縁からの巾寸法を、筒型結合用糊代部全巾Ｐから遊び巾αを差し引いた等巾とし、拡張箇所用糊代部となる素材フィルム長手方向における少なくとも何れか一方端の所定範囲部分を除いた筒型結合用糊代部範囲部分要所要所に、前記等巾部分から内側に向けて突出してその頂部までが筒型結合用糊代部全巾Ｐをやや超えた周壁フィット用糊代部とし、それら筒型結合用糊代部全巾Ｐを超えた部分の面積を、小さめのものとして形成されていて、長尺の素材フィルムの長手方向全長に渡ってそれら単位縦寸法ＦＬ範囲毎の接着剤印刷面が繰り返し模様の如くに形成されてなる、請求項１記載の容器用袋とするシート素材。
【請求項７】
接着剤印刷面の平面形が、各単位縦寸法ＦＬ範囲内素材フィルム部分の筒型結合用糊代部の、拡張箇所用糊代部とする素材フィルム長手方向における少なくとも何れか一方端の所定範囲部分だけが、その巾方向素材フィルム端縁からの巾寸法を、筒型結合用糊代部全巾Ｐから遊び巾αを差し引いた等巾であって、それ以外の筒型結合用糊代部は、その巾方向素材フィルム端縁からの巾寸法を前記等巾寸法よりも小さい等巾とし、該等巾部分の要所要所から内側に向けて突出してその頂部までが筒型結合用糊代部全巾Ｐに相当する周壁フィット用糊代部として形成されていて、長尺の素材フィルムの長手方向全長に渡ってそれら単位縦寸法ＦＬ範囲毎の接着剤印刷面が繰り返し模様の如くに形成されてなる、請求項１記載の容器用袋とするシート素材。
【請求項８】
接着剤印刷面の平面形が、各単位縦寸法ＦＬ範囲内素材フィルム部分の筒型結合用糊代部の、拡張箇所用糊代部とする素材フィルム長手方向における少なくとも何れか一方端の所定範囲部分だけが、その巾方向素材フィルム端縁からの巾寸法を、筒型結合用糊代部全巾Ｐから遊び巾αを差し引いた等巾であって、少なくとも何れか一方端の所定範囲部分を除いた筒型結合用糊代部は、その巾方向素材フィルム端縁からの巾寸法を前記等巾寸法よりも大きく且つ筒型結合用糊代部全巾Ｐよりも小さい等巾ＰＳとし、該等巾部分の要所要所から内側に向けて突出してその頂部までが筒型結合用糊代部全巾Ｐに相当する周壁フィット用糊代部として形成されていて、長尺の素材フィルムの長手方向全長に渡ってそれら単位縦寸法ＦＬ範囲毎の接着剤印刷面が繰り返し模様の如くに形成されてなる、請求項１記載の容器用袋とするシート素材。
【請求項９】
接着剤印刷面の平面形が、各単位縦寸法ＦＬ範囲内素材フィルム部分の筒型結合用糊代部の、拡張箇所用糊代部とする素材フィルム長手方向における少なくとも何れか一方端の所定範囲部分だけが、その巾方向素材フィルム端縁からの巾寸法を、最大箇所でも筒型結合用糊代部全巾Ｐから遊び巾αを差し引いた寸法巾内に納まる範囲内のものとして、素材フィルム長手方向端に向けて夫々漸次拡開状に傾斜したものとして形成されていて、長尺の素材フィルムの長手方向全長に渡ってそれら単位縦寸法ＦＬ範囲毎の接着剤印刷面が繰り返し模様の如くに形成されてなる、請求項１ないし８何れか記載の容器用袋とするシート素材。
【請求項１０】
接着剤印刷面の平面形が、各単位縦寸法ＦＬ範囲内素材フィルム部分の筒型結合用糊代部の、拡張箇所用糊代部とする素材フィルム長手方向における少なくとも何れか一方端の所定範囲部分だけが、その巾方向素材フィルム端縁からの巾寸法を、最大箇所でも筒型結合用糊代部全巾Ｐから遊び巾αを差し引いた寸法巾内に納まる範囲内のものとして、素材フィルム長手方向における両端に向けて夫々傾斜させていき、素材フィルム長手方向における袋端結合用の糊代部長ＥＰ範囲内となる両端においては、一部拡張箇所用糊代部および周壁フィット用糊代部を有しない形状のものに形成されていて、長尺の素材フィルムの長手方向全長に渡ってそれら単位縦寸法ＦＬ範囲毎の接着剤印刷面が繰り返し模様の如くに形成されてなる、請求項１ないし９何れか記載の容器用袋とするシート素材。
【請求項１１】
筒型結合用糊代部における接着剤印刷面は、素材フィルム長手方向全長に渡ってその筒型結合用糊代部全巾Ｐの平面形のものに形成された上、巾方向素材フィルム端縁からの巾寸法を筒型結合用糊代部全巾Ｐから遊び巾αを差し引いた等巾とする、巾方向少なくとも何れか一方端の拡張箇所用糊代部範囲部分であって、当該遊び巾αに相当する箇所全体に、遊び巾αを等巾寸法とする接着剤不活性化印刷面を重ね印刷してなるものに形成されていて、長尺の素材フィルムの長手方向全長に渡ってそれら単位縦寸法ＦＬ範囲毎の接着剤印刷面が繰り返し模様の如くに形成されてなる、請求項１，２，５または６何れか記載の容器用袋とするシート素材。
【請求項１２】
筒型結合用糊代部における接着剤印刷面は、素材フィルム長手方向全長に渡ってその筒型結合用糊代部全巾Ｐの平面形のものに形成された上、巾方向素材フィルム端縁からの巾寸法を筒型結合用糊代部全巾Ｐから遊び巾αを差し引いた等巾とする、巾方向少なくとも何れか一方端の拡張箇所用糊代部範囲部分（ＳＲ+ＥＰ）と、それに連続する筒型結合用糊代部全巾Ｐに相当する周壁フィット用糊代部範囲部分ＮＲとの間に、誘導用傾斜状糊代部範囲部分ＴＲが連続形成されていて、長尺の素材フィルムの長手方向全長に渡ってそれら単位縦寸法ＦＬ範囲毎の接着剤印刷面が繰り返し模様の如くに形成されてなる、請求項１ないし１１何れか記載の容器用袋とするシート素材。
【請求項１３】
接着剤印刷面における接着剤が、一液型であって熱、光等に反応する化学反応型接着剤によるものとした、請求項１ないし１２何れか記載の容器用袋とするシート素材。
【請求項１４】
素材フィルムが、熱可塑性の透明合成樹脂フィルム製であり、長尺の素材フィルムの長手方向全長に渡るそれら単位縦寸法ＦＬ範囲毎の各袋端結合用の糊代部長ＥＰ範囲を重ね合わせて加熱、熔着可能なものとしてなる、請求項１ないし１３何れか記載の容器用袋とするシート素材。
【請求項１５】
対象とする容器の断面外周輪郭形状全体を内包状にする最小閉鎖断面形の断面全周長ＯＢを所要シート巾ＮＷとし、同所要シート巾ＮＷの容器左右各周壁最小周囲長に相当する範囲夫々にガゼット巾Ｇ，Ｇを設定し、該所要シート巾ＮＷの左右側縁に設ける筒型結合用の糊代部巾Ｐとした（ＮＷ+２Ｐ）を全巾寸法ＦＷとし、その素材フィルム長手方向を、対象とする容器の胴部長ＢＬに、同容器の前後各周壁最小周囲長の二等分（Ｇ+Ｇ）／２に相当するマチ長Ｇ、および、単位シート部前後端縁夫々に設ける袋端結合用の糊代部長（ＥＰ×２）の合計ＢＬ+Ｇ+（ＥＰ×２）に応じた単位縦寸法ＦＬの整数倍またはそれに適宜端数を加えて長尺とした長さ寸法の素材フィルムに対し、各単位縦寸法ＦＬ範囲内の素材フィルム巾方向左右端縁部分における筒型結合用糊代部の、少なくとも左右何れか一方の筒型結合用糊代部に形成する接着剤印刷面が、同素材フィルム長手方向における少なくとも何れか一方端の所定範囲部分だけに、該素材フィルム巾方向端縁から巾寸法ＰＳ範囲を拡張箇所用糊代部、および、該拡張箇所用糊代部とする長手方向端所定範囲部分を除いた部分の全体または要所要所に、糊代部全巾Ｐとするか、あるいは、実質的に糊代部全巾Ｐに相当する周壁フィット用糊代部とし得る形状の平面形からなるものに形成されていて、長尺の素材フィルムの長手方向全長に渡ってそれら単位縦寸法ＦＬ範囲毎の接着剤印刷面が繰り返し模様の如くに形成されてなる容器用袋とするシート素材を、その長手方向に単位縦寸法ＦＬ範囲部分を連続状としたままで、各ガゼット巾Ｇ，Ｇの各縁を山折り、中央を谷折りとして左右一対のガゼットを有する筒状となし、対応する所要シート巾ＮＷ左右側縁の筒型結合用の糊代部巾同士を合掌状に接着してから、隣接する単位縦寸法ＦＬ部分相互間で連続した状態となっている袋端結合用の糊代部長（ＥＰ×２）を、全てその素材フィルム長手方向長（ＥＰ×２）の中央箇所で切断すると共に、各筒状シート前後端縁の袋端結合用糊代部の中、拡張箇所用糊代部が設けられたがわとは反対がわとなる袋端結合用糊代部長ＥＰ同士を、各ガゼット巾Ｇ，Ｇを含む全巾寸法ＦＷに渡って接着し、筒状に開口して拡張箇所用糊代部が設けられたがわとは反対がわの袋端結合用糊代部および筒型結合用糊代部とで繋がったガゼットを有する有底筒状のものに形成されてなるものとしたことを特徴とする、請求項１ないし１４何れか記載のシート素材から得られる容器用袋。                                                                        
【考案の詳細な説明】
【技術分野】
【０００１】
この考案は、食品用の容器やその他の様々な商品の包装技術に関するものであり、特に対象となる容器を包装可能な容器用袋を製造する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                  
【背景技術】
【０００２】
（着目点）
食品売り場の陳列棚に並べられる煮付けやサラダ、弁当等といった各種総菜類、あるいは菓子店のショーウインドウの中に置かれている薄皮饅頭やさくら餅等各種菓子類は、できるだけ省力化をして販売効率を高めるようにするために、予め定量毎に計量または個数を揃えた総菜類や菓子等として、所定サイズの蓋付き厚紙製の箱や透明トレイに入れた上、蓋が開かないようにする目的と、商品名や製造元、品質表示その他必要事項を記載する目的とから、例えば、蓋付きの厚紙製折り箱または蓋無しの樹脂製折り箱の全体を適宜巾および長さで所要の印刷の施された透明なプラスチックシート製の包装用袋で包装したものとして取り扱うようになっていて、遠い昔のように、店員がその場で一々消費者の求めに応じてその都度計量したり、個数を揃え、箱詰めした上、その後で包装して手渡すといった手間等は極力省いてしまうようにするというのが、既に一般的な商品販売方法の一つとして定着してしまっている。
【０００３】
この従前からの商品販売方法における包装用の樹脂シート製袋の取り扱い方は、通常次のような手段によって実施されてきている。
その一つは、対象とする矩形折り箱型の蓋付き容器の天面、左右側壁面および底面の巾方向回り全周囲を一周して両端部分同士が重なり合う巾寸法の長尺状素材フィルムの巾方向の各両端部分の一部同士を重ね合わせて、その内周寸法が当該蓋付き容器の巾方向回り全周囲寸法に一致する筒状に接着した上、該筒状シートの当該蓋付き容器の長さに、マチ部分となる同容器の前後端側壁高さの各１／２、ならびに袋端結合用の前後端の糊代部を加えた長さを１単位として裁断すると共に、前後端の中の何れか一方の袋端結合用糊代部を接着して有底筒状の容器用袋を製造し、該容器用袋の接着されていない方の前後端の中の何れか他方の開口から当該蓋付き容器を挿入した後、該開口の袋端結合用糊代部を接着してしまうことにより、内容物を納めた蓋付き容器の蓋が安全に閉じられたままとなり、しかも化粧と必要事項との表示を兼ねた包装も済ませ、後は陳列を待つだけの状態となるようにする方法である。
【０００４】
上記方法による包装の仕方の場合、当該折り箱型の蓋付き容器を有底筒状の容器用袋に収容するときに、該容器用袋の筒状開口部の内周寸法が、当該蓋付き容器の巾方向回り全周囲寸法に一致するものとしてあるから、蓋付き容器小口の角縁などが引っ掛かって素早く装着するのは至難の業であり、作業性が極めて悪い上、熟練度や慣れによって包装作業の効率を高められるものではなく、こうした作業性の悪さを解決しようとして、該容器用袋の内周寸法を、当該蓋付き容器の巾方向回り全周囲寸法より大きめに設定してしまうと、円滑に収納できて、包装作業の効率を大巾に高めることができるが、緩めの寸法設定が災いして、蓋付き容器と同時に収容した脱酸素剤の影響で容器用袋に不要な皺や折り目が付いてしまい、包装の外観を悪化させてしまったり、こうした皺や折り目が周囲の他物に擦れたり、引っ掛かったりして摩耗傷が生じたり、孔が開いてしまったりする虞があり、輸送や陳列中に良好な品質を保つことができなくなってしまう等といった不都合があることから、最近ではこうした手作業による包装の仕方によるものは、かなり少なくなってしまっている。
【０００５】
（従来の技術）
こうした状況を打開し得るものとして、例えば、下記の特許文献１（１）に提案されているものに代表されるように、有底筒状の樹脂フィルム製包装用袋の左右がわ夫々にガゼットを形成し、それらガゼットの一方がわに開閉蓋を設けて、包装用袋の側方から対象となる商品を収納可能としたものや、例えば同特許文献１（２）のように、有底筒状とした包装用袋の左右夫々に、通状の２倍の数のガゼットを形成し、より大きく開口できるようにして、収容作業性を高めるようにしたものなどが散見される。
【０００６】
しかし、前者のように包装用袋の巾方向に形成したガゼット部分に開閉蓋を設けたものなどは、対象となる箱型容器を収容した後に、該開閉蓋を閉鎖する必要があるが、その開閉蓋のガゼット縦方向の端縁部付近が、マチ部分に掛かってしまい、密閉状に完全封鎖するのが難しく、例えば石鹸やカセットテープなどのような日用雑貨品類の商品展示用には適するものの、衛生管理が重視され、脱酸素剤などの密閉封入を必須とするような食品類には利用不可能であり、また、後者のようなガゼットを通状の２倍の数設けた包装用袋などは、焼きたての菓子パンや調理パンなどの店頭販売で消費者が、展示されている食品を精算支払いする前に、衛生的に簡易包装するのには非常に便利なものであるが、食品工場内で折り箱に詰められた菓子や弁当などを包装するような場合には、包装用袋のガゼット部分を含めた開口縁内周寸法が、対象となる箱型容器の巾方向回り全周囲寸法に一致していない為、従来型のものと同様に、包装後に不要な皺や折り目などを生じてしまい、擦れ傷や孔開きの原因となってしまう虞があり、しかもガゼットを通状の２倍に増やした場合であっても、包装用袋の開口縁内周寸法が、対称容器の巾方向回り全周囲寸法に一致したものは、収容作業性が極めて悪く、従来までの課題を全く解決することができないという致命的な欠点があった。                                                                                                  
【特許文献１】（１）登録実用新案第３１４５１７３号公報    （２）登録実用新案第３１３１８４６号公報
【考案の開示】
【考案が解決しようとする課題】
【０００７】
（問題意識）
上述したとおり、従前までに提案のある各種の包装用の袋は、何れも対象となる容器の収納作業効率を高めようとして、収納用の開口位置を変更したり、ガゼットの数を増加させたりすると、完全な密閉包装が不可能になってしまったり、密閉包装できた場合であっても、脱酸素剤の作用や真空包装などによって包装袋内が減圧状態になると、包装袋に不要な皺や折り目が生じてしまい、輸送や陳列中に擦れ傷や孔が開いてしまい、外観が著しく悪化して商品価値を大巾に低下させてしまうばかりでなく、外気が包装袋内に進入して、包装内食品などの鮮度や衛生状態を保つことができなくなってしまう虞があり、有底筒状の樹脂フィルム製の袋に、食品を収容した折箱型の容器を安全で効率的に密閉包装する技術については未だ存在しないという状況にある。
【０００８】
（考案の目的）
そこで、この考案は、箱型の容器の包装用袋による包装作業性を各段に高めて誰でも簡単に包装することができる上、包装後の袋に不要な皺や折り目などが生じないよう密閉状にフィット可能な新たな包装技術の開発はできないものかとの判断から、逸速くその開発、研究に着手し、長期に渡る試行錯誤と幾多の試作、実験とを繰り返してきた結果、今回、遂に新規な構造の容器用袋とするシート素材、およびそれから得られる新規な構造の容器用袋を実現化することに成功したものであり、以下では、図面に示すこの考案を代表する実施例と共に、その構成を詳述することとする。                                                                      
【課題を解決するための手段】
【０００９】
（考案の構成）
図面に示すこの考案を代表する実施例からも明確に理解されるように、この考案の容器用袋とするシート素材は、基本的に次のような構成から成り立っている。
即ち、対象とする容器の断面外周輪郭形状全体を内包状にする最小閉鎖断面形の断面全周長ＯＢを所要シート巾ＮＷとし、同所要シート巾ＮＷの容器左右各周壁最小周囲長に相当する範囲夫々にガゼット巾Ｇ，Ｇを設定し、該所要シート巾ＮＷの左右側縁に設ける筒型結合用の糊代部巾Ｐとした（ＮＷ+２Ｐ）を全巾寸法ＦＷとし、その素材フィルム長手方向を、対象とする容器の胴部長ＢＬに、同容器の前後各周壁最小周囲長の二等分（Ｇ+Ｇ）／２に相当するマチ長Ｇ、および、単位シート部前後端縁夫々に設ける袋端結合用の糊代部長（ＥＰ×２）の合計ＢＬ+Ｇ+（ＥＰ×２）に応じた単位縦寸法ＦＬの整数倍またはそれに適宜端数を加えて長尺とした長さ寸法の素材フィルムに対し、各単位縦寸法ＦＬ範囲内の素材フィルム巾方向左右端縁部分における筒型結合用糊代部の、少なくとも左右何れか一方の筒型結合用糊代部に形成する接着剤印刷面が、同素材フィルム長手方向における少なくとも何れか一方端の所定範囲部分だけに、該素材フィルム巾方向端縁から巾寸法ＰＳ範囲を拡張箇所用糊代部、および、該拡張箇所用糊代部とする長手方向端所定範囲部分を除いた部分の全体または要所要所に、糊代部全巾Ｐとするか、あるいは、実質的に糊代部全巾Ｐに相当する周壁フィット用糊代部とし得る形状の平面形からなるものに形成されていて、長尺の素材フィルムの長手方向全長に渡ってそれら単位縦寸法ＦＬ範囲毎の接着剤印刷面が繰り返し模様の如くに形成されてなるものとした構成を要旨とする容器用袋とするシート素材である。
【００１０】
（関連する考案）
上記した容器用袋とするシート素材に関連し、この考案には、それから得られる容器用袋も包含している。
即ち、対象とする容器の断面外周輪郭形状全体を内包状にする最小閉鎖断面形の断面全周長ＯＢを所要シート巾ＮＷとし、同所要シート巾ＮＷの容器左右各周壁最小周囲長に相当する範囲夫々にガゼット巾Ｇ，Ｇを設定し、該所要シート巾ＮＷの左右側縁に設ける筒型結合用の糊代部巾Ｐとした（ＮＷ+２Ｐ）を全巾寸法ＦＷとし、その素材フィルム長手方向を、対象とする容器の胴部長ＢＬに、同容器の前後各周壁最小周囲長の二等分（Ｇ+Ｇ）／２に相当するマチ長Ｇ、および、単位シート部前後端縁夫々に設ける袋端結合用の糊代部長（ＥＰ×２）の合計ＢＬ+Ｇ+（ＥＰ×２）に応じた単位縦寸法ＦＬの整数倍またはそれに適宜端数を加えて長尺とした長さ寸法の素材フィルムに対し、各単位縦寸法ＦＬ範囲内の素材フィルム巾方向左右端縁部分における筒型結合用糊代部の、少なくとも左右何れか一方の筒型結合用糊代部に形成する接着剤印刷面が、同素材フィルム長手方向における少なくとも何れか一方端の所定範囲部分だけに、該素材フィルム巾方向端縁から巾寸法ＰＳ範囲を拡張箇所用糊代部、および、該拡張箇所用糊代部とする長手方向端所定範囲部分を除いた部分の全体または要所要所に、糊代部全巾Ｐとするか、あるいは、実質的に糊代部全巾Ｐに相当する周壁フィット用糊代部とし得る形状の平面形からなるものに形成されていて、長尺の素材フィルムの長手方向全長に渡ってそれら単位縦寸法ＦＬ範囲毎の接着剤印刷面が繰り返し模様の如くに形成されてなる容器用袋とするシート素材を、その長手方向に単位縦寸法ＦＬ範囲部分を連続状としたままで、各ガゼット巾Ｇ，Ｇの各縁を山折り、中央を谷折りとして左右一対のガゼットを有する筒状となし、対応する所要シート巾ＮＷ左右側縁の筒型結合用の糊代部巾同士を合掌状に接着してから、隣接する単位縦寸法ＦＬ部分相互間で連続した状態となっている袋端結合用の糊代部長（ＥＰ×２）を、全てその素材フィルム長手方向長（ＥＰ×２）の中央箇所で切断すると共に、各筒状シート前後端縁の袋端結合用糊代部の中、拡張箇所用糊代部が設けられたがわとは反対がわとなる袋端結合用糊代部長ＥＰ同士を、各ガゼット巾Ｇ，Ｇを含む全巾寸法ＦＷに渡って接着し、筒状に開口して拡張箇所用糊代部が設けられたがわとは反対がわの袋端結合用糊代部および筒型結合用糊代部とで繋がったガゼットを有する有底筒状のものに形成されてなるものとした、この考案の基本をなす前記シート素材から得られる容器用袋である。                    
【考案の効果】
【００１１】
以上のとおり、この考案の容器用袋とするシート素材によれば、従前までのものとは違い、上記したとおりの固有の特徴ある構成から、常温では粘着力や接着力を発揮せず、取扱いが容易であって単位縦寸法ＦＬ範囲毎の接着剤印刷面が繰り返し模様の如くに形成され素材フィルムをそのまま長手方向に捲いたロール状か、単位縦寸法ＦＬ範囲毎に折り畳み重ねたものか、または、単位縦寸法ＦＬ範囲毎に裁断された単位シートを複数枚重ねた状態かの何れかとして運搬、保管することが可能であり、しかも各接着剤印刷面の中、巾方向端縁の筒型結合用糊代部同士を重ね合わせ結合し、単位縦寸法ＦＬ両端の中の一方の袋端結合用糊代部を袋端状に結合する場合に、各結合部に加熱するかまたは光を照射することにより、瞬時に溶融、硬化して袋状に加工できるので、製品管理や品質管理が容易になり、高品質な容器用袋を効率的に生産、供給することができるものとなる。
【００１２】
また、当該容器用袋とするシート素材は、各接着剤印刷面の中、巾方向端縁の筒型結合用糊代部、単位縦寸法ＦＬ両端の中の一方の袋端結合用糊代部の夫々に、接着剤を連続的に印刷したものであって、ヒートシール性の樹脂フィルムに不可欠とされていた、溶着専用の金型が不要となり、印刷パターンを変更するだけで様々な接着面形状を実現可能とすることができる上、接着剤の使用量を必要最小限に抑えることができるものとなり、しかも、従前までのヒートシール性の樹脂フィルムでは、良好な透明性を確保することが困難であったが、接着剤を使用することにより、透明性の高い樹脂フィルムを使用することが可能となり、より品質の高い容器包装を実現可能とすることができるという秀れた効果を発揮できる。
【００１３】
さらに、当該容器用袋とするシート素材は、各接着剤印刷面の中、巾方向端縁の筒型結合用糊代部同士を重ね合わせ結合し、単位縦寸法ＦＬ両端の中の一方の袋端結合用糊代部を袋端状に結合した筒状素材フィルムを長手方向に捲いたロール状か、または、単位縦寸法ＦＬ範囲毎に折り畳み重ねたものかの何れかとして運搬、保管することが可能である外、単位縦寸法ＦＬ範囲毎に裁断された単位筒状シートとして複数枚重ねた状態にして取り扱うことも可能であり、様々な包装作業に自在に対応して、巾広い利用を実現可能とする効果が得られる。
【００１４】
加えて、この考案のシート素材およびそれから得られる容器用袋が、各単位縦寸法ＦＬ範囲内接着剤印刷面の拡張箇所用糊代部を、筒型結合用糊代部全巾Ｐから遊び巾αを差し引いた等巾ＰＳであって、それ以外の筒型結合用糊代部を糊代部全巾Ｐとするか、あるいは、実質的に糊代部全巾Ｐに相当する周壁フィット用糊代部として形成されたものは、容器用袋の開口周縁と対象容器の最小閉鎖断面形との間に遊び巾２α分の隙間が生じるから、容器用袋の開口周縁に対象容器の外周縁や角部分が引っ掛かるのを防止して、円滑に収容して短時間の中に包装作用を完了することができ、一段と経済的な包装作業を実現化するという利点も得られる。
【００１５】
また、当該シート素材およびそれから得られる容器用袋が、各単位縦寸法ＦＬ範囲内接着剤印刷面の拡張箇所用糊代部の等巾ＰＳ以外となる筒型結合用糊代部を、その巾方向素材フィルム端縁から遊び巾αを除いた残余の部分に相当する等巾の周壁フィット用糊代部として形成されたものは、少量の接着剤によって効率的に接着可能となり、より経済的に製造することが可能であり、また、拡張箇所用糊代部の等巾ＰＳ以外の筒型結合用糊代部を、糊代部全巾Ｐに渡って分散状配置とし、実質的に糊代部全巾Ｐに相当する周壁フィット用糊代部に形成したものや、拡張箇所用糊代部を除いた筒型結合用糊代部範囲部分要所要所に、前記拡張箇所用糊代部の等巾部分から内側に向けて突出してその頂部までが筒型結合用糊代部全巾Ｐに相当する周壁フィット用糊代部として形成したものは、接着された左右全縁部が確りと接着、封止されたものとなってしかも接着剤の使用量を削減できると共に、複数の筒型結合用糊代部範囲が十分な包装強度を確保できる効果がある。
【００１６】
さらに、各接着剤印刷面の拡張箇所用糊代部を除いた筒型結合用糊代部範囲部分要所要所に、前記等巾部分から内側に向けて突出してその頂部までが筒型結合用糊代部全巾Ｐをやや超えた周壁フィット用糊代部とし、それら筒型結合用糊代部全巾Ｐを超えた部分の面積を、小さめに形成したものは、該筒型結合用糊代部の内側に向けて突出した各頂部が、剥離し易い状態となっていて、包装した対象容器の外周壁面要所要所に、より密着した包装を実現化することができるという特段の効果を得るものとなり、また、各接着剤印刷面の拡張箇所用糊代部を除いた筒型結合用糊代部範囲部分が前記等巾寸法よりも小さい等巾とし、該等巾部分の要所要所から内側に向けて突出してその頂部までが筒型結合用糊代部全巾Ｐに相当する周壁フィット用糊代部として形成したものは、接着剤の使用量を大幅に削減できるという特徴もある。
【００１７】
そして、接着剤印刷面の素材フィルム長手方向における少なくとも何れか一方端の所定範囲部分を除いた筒型結合用糊代部が、その巾方向素材フィルム端縁からの巾寸法を前記等巾寸法よりも大きく且つ筒型結合用糊代部全巾Ｐよりも小さい等巾ＰＳとし、該等巾部分の要所要所から内側に向けて突出してその頂部までを筒型結合用糊代部全巾Ｐに相当する周壁フィット用糊代部として形成したものは、拡張箇所用糊代部を除く周壁フィット用糊代部を全巾寸法Ｐの範囲に渡って形成したものに比較して、接着剤の使用量を削減することができると共に、包装した対象容器の外周壁面に、密着した包装を実現化するという効果を奏するものとなる。
【００１８】
また、接着剤印刷面の拡張箇所用糊代部が、素材フィルム長手方向端に向けて夫々漸次拡開状に傾斜したものとして形成されてなるものは、それによって製造された容器用袋の開口周囲寸法が、さらに、より大きな遊び巾αをもつものとして素材フィルム全巾寸法ＦＷに近づき、対象とする容器の収納作業を各段に円滑なものとすることができ、また、接着剤印刷面の拡張箇所用糊代部が、素材フィルム長手方向における袋端結合用の糊代部長ＥＰ範囲内となる両端においては、一部拡張箇所用糊代部および周壁フィット用糊代部を有しない形状のものに形成したものは、接着剤の使用量を削減できると共に、袋端結合用糊代部長ＥＰ範囲内は、袋端結合用糊代部に塗布された接着剤で密着されるので、容器用袋の密閉を確保する効果を有する。
【００１９】
そして、素材フィルムの各拡張箇所用糊代部範囲部分に隣接する遊び巾αに相当する箇所に、遊び巾αを等巾寸法とする接着剤不活性化印刷面を重ね印刷してなるものに形成したものは、各拡張箇所用糊代部の形状に沿ってより正確に接着可能となり、一段と高精度の製造を実現化することができ、また、接着剤印刷面の各拡張箇所用糊代部範囲部分（ＳＲ+ＥＰ）と、それに連続する各筒型結合用糊代部全巾Ｐに相当する周壁フィット用糊代部範囲部分ＮＲとの間に、夫々誘導用傾斜状糊代部範囲部分ＴＲが連続形成されてなるものは、対象とする容器をより円滑に収納包装可能とし、包装作業の効率を各段に高めることができるという効果も得られる。
【００２０】
また、接着剤印刷面における接着剤が、一液型であって熱、光等に反応する化学反応型接着剤によるものは、印刷工程の工数を大幅に削減することができる上、接着剤の使用量および使用種類を大幅に削減して各段に経済的なものとすることができき、また、素材フィルムを熱可塑性の透明合成樹脂フィルム製のものとし、長尺の素材フィルムの長手方向全長に渡るそれら単位縦寸法ＦＬ範囲毎の各袋端結合用の糊代部長ＥＰ範囲を重ね合わせて加熱、熔着可能なものとした場合には、接着剤印刷面に使用する接着剤の使用量を、各筒型結合用糊代部範囲に留めて、大幅に削減できる上、全長寸法ＢＬが異なる複数種類の対象容器に対応するよう、単位縦寸法ＦＬ範囲を変更して裁断した場合にも、袋端結合用糊代部長ＥＰ範囲に拘わらず、何れの箇所でも袋端結合用糊代部相当範囲に加熱して容易に密閉熔着するという利点がある。
【００２１】
さらに、この考案の容器用袋は、従前までのものとは違い、上記したとおりの固有の特徴ある構成から、各単位縦寸法ＦＬ範囲の接着剤印刷面中、素材フィルム長手方向における少なくとも何れか一方端の所定範囲部分だけに、該素材フィルム巾方向端縁から巾寸法ＰＳ範囲を拡張箇所用糊代部としたものとするだけで、従前と何等変わらぬ製造工程下で、容器用袋の開口部がわが、予め対象容器の断面外周輪郭形状全体を内包状にする最小閉鎖断面形の断面全周長ＯＢよりも大きく形成してあって、容器用袋への容器の差込み包装作業がし易くなり、従来までの包装袋に比較して各段に効率的な包装工程を実現化して、遙かに経済的な包装技術を提供可能とするものであり、しかも各筒型結合用糊代部の拡張箇所用糊代部を除く周壁フィット用糊代部が、容器の最小閉鎖断面形に密に適合すると共に、各ガゼットやマチも容器の外郭形状に隙間無くフィットして、然るべき状態に包装して開口部の袋端結合用糊代部を接着し終えた段階には、当該容器用袋内で容器が不用意にズレ動くことが無く、同梱した脱酸素剤や真空パックの影響などで当該容器用袋の表面に不要な皺や折り目などが一切発生せず、したがって運搬や保管、展示中などに皺や折り目が他物に接触して擦り傷や孔を生じたりするのを防止して、包装の外的美感を損ねることなく、容器内に収容した内容物の衛生状態を確実に維持できるものとなるという秀れた特徴が得られるものである。
【００２２】
したがって、従前までのように、包装袋の密着性を優先すれば容器の差込み作業に不都合を来し、逆に差込み易さを優先すれば包装袋の密閉機能や外的美感に支障を来してしまうといった弊害は完全に一掃され、また、差込み易さと密着性とを兼ね備えた熱収縮性フィルムを採用したもののように、包材自体が高価であるだけではなく、それに伴う設備でも熱トンネルその他を必要として、ランニングコストに加えて初期投資にも経済的負担が加わる結果、包装袋そのものの単価が高くついてしまうといった問題も全く心配する必要がない上、更には、熱収縮による絵柄やバーコード等といった印刷部分の収縮変形を伴うことも全くないことから、正確な印刷面を維持できるだけではなく、裏印刷による鮮明な仕上がりも実現可能になるという利点が得られることになる。                                                              
【考案を実施するための最良の形態】
【００２３】
上記したとおりの構成からなるこの考案の実施に際し、その最良もしくは望ましい形態について説明を加えることにする。
単位シートは、必要となる各箇所に接着剤印刷面を形成し、適宜手段によって接着することによって対象とする容器の外周に装着可能な筒形状のものとし、且つ、該筒形状の両端を夫々閉鎖して対象容器全体を密封状とする如く包装可能とする機能を果たし、包装資材に使用可能な各種合成樹脂（熱可塑性樹脂、熱硬化性樹脂）フィルムの外、比較的引っ張り強度に秀れた各種紙（パルプ紙、合成紙）等から形成することが可能であって、対象とする容器の断面外周輪郭形状全体を内包状にする最小閉鎖断面形の断面全周長ＯＢを所要シート巾ＮＷとし、同所要シート巾ＮＷの容器左右各周壁最小周囲長に相当する範囲夫々にガゼット巾Ｇ，Ｇを設定し、該所要シート巾ＮＷの左右側縁に設ける筒型結合用の糊代部巾Ｐとした（ＮＷ+２Ｐ）を全巾寸法ＦＷとし、その素材フィルム長手方向を、対象とする容器の胴部長ＢＬにマチ長Ｇ、および、単位シート部前後端縁夫々に設ける袋端結合用の糊代部長（ＥＰ×２）の合計ＢＬ+Ｇ+（ＥＰ×２）に応じた単位縦寸法ＦＬの整数倍またはそれに適宜端数を加えて長尺とした長さ寸法の素材フィルムに対し、各単位縦寸法ＦＬ範囲内の素材フィルム巾方向左右端縁部分における筒型結合用糊代部の、少なくとも左右何れか一方の筒型結合用糊代部に形成する接着剤印刷面が、同素材フィルム長手方向における少なくとも何れか一方端の所定範囲部分だけに、該素材フィルム巾方向端縁から巾寸法ＰＳ範囲を拡張箇所用糊代部、および、該拡張箇所用糊代部とする長手方向端所定範囲部分を除いた部分の全体または要所要所に、糊代部全巾Ｐとするか、あるいは、実質的に糊代部全巾Ｐに相当する周壁フィット用糊代部とし得る形状の平面形からなるものに形成したシート素材の接着剤印刷面によって糊代部同士を接着して長い筒状のものとした後、所定箇所において裁断したものであって、多数の容器用袋を効率的に製造するための基材とするものであり、したがって、接着剤を反応させる際の熱や光の影響を受けない素材を選択するべきであるが、熱可塑性の樹脂フィルムを材料として選択することは可能であり、その表面には、接着剤印刷面を形成する過程で、装飾的印刷や商品名あるいは商品説明その他必要事項を印刷、表示するようにしたものとすることも、勿論可能である。
【００２４】
接着剤印刷面は、当該シート素材の各単位シート面毎に設定された、袋状に接着するための接着用範囲であって、例えば、接着剤を印刷する範囲、または、熱熔着する範囲などであるとすることが可能であり、さらに、接着剤が塗布された範囲、または接着剤が印刷された範囲などということもできる外、製造工程中にそれら各糊代部分を把握できるよう、接着範囲を印刷表示してなるものとすることが可能であり、より具体的には、後述する実施例に示すように、筒型結合用糊代部および袋端結合用糊代部からなるものであるということができる。
また、接着剤不活性化印刷面は、単位シート面の接着剤印刷面以外の箇所が不要に接着してしまうのを確実に阻止可能とする機能を果たすものであり、接着剤印刷面に隣接状に印刷されて、該接着剤印刷面のような熱熔着や接着の作用を生じない性質を有するものとしなければならず、例えば、接着剤印刷面に印刷した接着剤よりも融点が高い耐熱性または断熱性のインク層を形成してなるものとすることが可能である。
【００２５】
筒型結合用糊代部は、シート素材および各単位シートを筒状に接着可能とする範囲部分であり、単位シートの接着剤印刷面の中、素材フィルム全巾寸法ＦＷから対象とする容器の胴部断面全周長ＯＢか、対象とする容器の胴部最小閉鎖断面形の断面全周長かの何れかに相当する所要シート巾ＮＷを差し引いた左右端帯状の範囲であって、容器用袋の製造過程で接着される範囲部分であり、より具体的には、後述する実施例に示すように、拡張箇所用糊代部および周壁フィット用糊代部からなるもの、または、拡張箇所用糊代部、誘導用傾斜状糊代部および周壁フィット用糊代部からなるものとすることができる。
【００２６】
拡張箇所用糊代部は、容器用袋開口を対象とする容器の断面外周輪郭形状全体を内包状にする最小閉鎖断面形の断面全周長ＯＢよりも大きく開口可能とするよう、同容器用袋開口の内周寸法が筒型結合用糊代部の巾寸法Ｐ，Ｐの範囲内で拡大可能とすると共に、同容器用袋の開口を袋端結合用糊代部の接着によって容易に密閉可能とする機能を果たし、各単位シートの長手方向（単位縦寸法ＦＬ方向）の、少なくとも何れか一方端がわに形成されたものとしなければならず、後述する実施例に示すように、単位シートの長手方向寸法（ＥＰ+ＳＲ）の範囲内に筒型結合用糊代部全巾Ｐから遊び巾αを差し引いた等巾ＰＳの矩形平面帯形状に形成されたものとすることができ、また、同範囲内に三角平面形状や台形平面形状などとすることができる外、単位シートの長手方向端縁から袋端結合用糊代部とする寸法ＥＰ範囲内の適所で、長手方向の長さを短縮したものとすることができ、さらに、長手方向端縁を袋端結合用糊代部とする寸法ＥＰ範囲の、中央寄りとなる端縁に連続状に一致させてなるものとすることが可能である。
【００２７】
誘導用傾斜状糊代部は、拡張箇所用糊代部と周壁フィット用糊代部との接続部分の互いの巾寸法差（Ｐ−ＰＳ）を円滑に連続するよう形成して、対象とする容器への容器用袋の装着を容易にする機能を果たすものであり、拡張箇所用糊代部と周壁フィット用糊代部との接続部の長手方向の長さＴＲ内に収まる寸法形状としなければならず、後述する実施例に示すように、単位シートの中央寄りとなる輪郭部分形状を傾斜直線状または曲線状に形成したものとするのが望ましく、拡張箇所用糊代部の巾寸法ＰＳと同じ巾寸法に設定したものとすることができる。
【００２８】
周壁フィット用糊代部は、対象とする容器を容器用袋内に完全に収容した包装状態で、対象とする容器の断面外周輪郭形状全体を内包状にする最小閉鎖断面形の断面全周長ＯＢが、単位シートの所要シート巾ＮＷに一致して、単位シートが、対象とする容器の最小閉鎖断面形に密にフィット可能とする機能を果たすものであり、単位シートの全巾寸法ＦＷの左右端縁から夫々、筒型結合用の糊代部巾Ｐの位置に配したものとすべきであり、単位シートの長さ寸法ＮＲの範囲か、または、長さ寸法（ＮＲ+ＥＰ）の範囲かの何れかに、筒型結合用の糊代部巾Ｐに渡って形成した矩形平面帯形状のものとすることができ、また、筒型結合用の糊代部巾Ｐに沿って形成された糊代部巾寸法（Ｐ−α）の細い矩形平面帯形状に形成することが可能であり、筒型結合用の糊代部巾Ｐ範囲内か、または、筒型結合用の糊代部巾Ｐ範囲より、僅かに中央寄りに突出するよう、点在状に分散配置された円形状や舌形状、その他の平面形状とした分散状糊代部を併設したものなどとすることができる。
【００２９】
分散状糊代部は、周壁フィット用糊代部の一部が複数に分岐または分離状となって、実質的に帯状に繋がる周壁フィット用糊代部と同様の接着性能を発揮可能とすると共に、同周壁フィット用糊代部の合計面積を削減可能とする機能を果たすものであり、筒型結合用の糊代部巾Ｐの範囲に分散状に配されたものとしなければならず、それら複数の分散状糊代部の各一部が、筒型結合用の糊代部巾Ｐをやや超えて、それら超えた各一部の接着部分が剥離し易い状態に接着されたものとすることが可能であり、後述する実施例に示すように、各分散状糊代部が、筒型結合用の糊代部巾Ｐの範囲内に収まり、且つ、各外周縁が夫々巾寸法Ｐの内がわに接するよう配置された平面円形状のものに形成可能である外、筒型結合用の糊代部巾Ｐの範囲内に収まる複数の平面舌形状に形成されたものや、筒型結合用の糊代部巾Ｐの範囲内から単位シート中央に向けてやや突出する平面舌形状に形成した上、各平面舌形状の突出部分の接着面積を小さくして剥離し易く形成されてなるものとすることができる。
【００３０】
袋端結合用糊代部は、素材フィルム長手方向の各単位シート両端部分を接着して、対象とする容器を収容した容器用袋を密閉可能とする機能を果たすものであり、単位シート単位縦寸法ＦＬの中央から、対象とする容器の胴部長ＢＬに、同容器の前後各周壁最小周囲長の二等分（Ｇ+Ｇ）／２に相当するマチ長Ｇを加えた長さ寸法（ＢＬ+Ｇ）を差し引いて、両端がわに残された長さ寸法範囲（ＥＰ×２）とすべきであり、後述する実施例に示すように、製造した容器用袋は、一方の袋端結合用糊代部を接着し、それとは反対がわの袋端結合用糊代部を未接着の状態として置き、対象とする容器を収納した後に、未接着の袋端結合用糊代部を接着するようにしたものとするのが望ましい。
【００３１】
ガゼットは、矩形有底筒状の容器用袋を形成し、矩形箱型や折り箱型の対象容器の外周壁に、該容器用袋が不要な皺や折り目などを生じることなく、密に包装可能とする機能を果たすものであり、該容器用袋が未使用の状態では、その巾寸法が、対象とする容器の胴部巾ＢＷと同等程度に収まるよう折り畳むことが可能となるよう、単位シートの対象とする容器の左右側壁に対応する範囲に形成したものとすべきであり、後述する実施例に示すように、単位シートの全巾寸法ＦＷ中央に設定した巾寸法ＢＷの巾端の夫々から、左右がわに対象容器の左右側壁に対応する巾寸法Ｇ，Ｇ範囲に設定したものとし、各巾寸法Ｇの巾中央部分を谷折りに、且つ各巾寸法Ｇの左右端を夫々山折りに折曲形成してなるものとすることができる。
【００３２】
マチは、矩形有底筒状の容器用袋を形成し、矩形箱型や折り箱型の対象容器の外周壁に、該容器用袋が不要な皺や折り目などを生じることなく、密に包装可能とし、該容器用袋が未使用の状態では、面一状に展開されて嵩張ることなくシート状に重ねることができるようにする機能を果たすものであり、単位シートの単位縦寸法ＦＬの中央に設定した対象とする容器の胴部長ＢＬの両端がわに、夫々同対象容器の小口壁面高さに相当する長さ寸法（Ｇ／２）の２倍（前後合計長さ寸法はＧ）に設定したものとすべきである。
【００３３】
接着剤は、素材フィルム接着剤印刷面に印刷状に塗布されることにより、平板状の素材フィルム（または単位シート）の筒型結合用糊代部および袋端結合用糊代部を夫々重ね合わせ状に結合し、対象とする容器の外周を密閉状に包装可能とする機能を果たすものであり、素材フィルム（または単位シート）の所望する接着面同士を十分な強度で接着できるものを選択しなければならず、素材フィルム（または単位シート）の適所に印刷された接着剤は、通常の環境下では粘着力や接着力をもたず、一般の樹脂フィルムや紙製シートと同様に取り扱うことが可能であり、接着剤が印刷された接着面を重ね合わせ状とし、同接着面をヒータや高周波誘導による加熱、または、磁性粒体を混在させた接着剤を使用して電磁誘導加熱すること等により、所定温度まで加熱するか、あるいは紫外線を照射して硬化させることが可能である上、比較的短時間の中に硬化させることができる化学反応型接着剤としてもよい。
【００３４】
容器用袋は、対象とする容器、例えば開閉蓋を一体化した折り箱型の弁当箱や蓋無しの折り詰め菓子箱、惣菜用等に多く用いられている片開きの蓋付き透明プラスチック（例えばポリスチレン）容器や納豆用等として採用の多い片開きの蓋付き発泡プラスチック容器、トレイ型のもので開口部をフィルムシートで熱溶着、密封してしまう容器であったり、あるいはケーキ用等に多用される折畳み式の上蓋付き紙製箱型容器や贈答用の缶詰め類を収める嵌合式の別体蓋付き紙製箱型容器等の外、被服類や各種調度品等用に多く採用されている角筒状で両端が折畳み噛合式蓋が一体形成された紙製箱型容器等々各種形態の容器に、埃や塵、微生物、ウィルス、その他の異物類の進入を防止可能とするよう密閉方向可能とするものであり、蓋が開かないようにする目的であったり、内容物の説明や商品名を表示する目的、あるいは化粧目的、包装目的等で、その外周を密着状に包み、開封するまで不用意に破けたりしないよう衛生的に包装可能とする機能を得るために採用される紙製、プラスチック製等、あまり伸縮性を期待できないフィルムまたはシート状の袋体からなり、それらを、対象とする容器のサイズ（容器を複数個段重ねにしてまとめて包装するときは、それら全体を一つとしたサイズ）に所定どおりに包み込んでしまえる（箱状の容器であれば、通常は短辺側から差し込こめる）ようにするため、予め袋の有底筒状に接着、形成したものとするのがよい。
以下では、図面に示すこの考案を代表する実施例と共に、その構造について詳述することとする。                                                                                                            
【実施例１】
【００３５】
図１の単位シート２１の平面図、図２の素材フィルム２の平面図、図３の図１中Ａ−Ａ部分に相当する容器用袋１の断面図、図４の図１中Ｂ−Ｂ部分に相当する容器用袋１の断面図、図５の図１中Ｃ−Ｃ部分に相当する容器用袋１の断面図、図６の容器用袋１の斜視図、図７の容器用袋１の斜視図、図８の容器用袋１に収容する容器８の斜視図、図９の容器用袋１に収容した容器８の斜視図、図１０の包装後の容器用袋１の斜視図、図１１の開封した容器用袋１の斜視図、図１２の蓋の無い容器８を収容する容器用袋１の斜視図、図１３の蓋無し容器８を包装した容器用袋１の斜視図、図１４の誘導用傾斜状糊代部の形状を変更した単位シート２１の平面図、図１５の筒型結合用糊代部の形状を変更した単位シート２１の平面図、および、図１６の誘導用傾斜状糊代部を持たない単位シート２１の平面図に示す事例は、対象とする容器８の最小閉鎖断面形を包囲可能な所要シート巾ＮＷの適所をガゼット巾Ｇ，Ｇとし、左右側縁に筒型結合用糊代部４，４巾Ｐを加えて全巾ＦＷ＝（ＮＷ+２Ｐ）とし、長手方向寸法を、容器８胴部長ＢＬ、マチ７長Ｇ、袋端結合用糊代部５，５長（ＥＰ×２）の合計ＢＬ+Ｇ+（ＥＰ×２）を単位縦寸法ＦＬとし、その整数倍の長尺とした素材フィルム２に対し、長手方向少なくとも何れか一方端の所定範囲部分（ＳＲ+ＥＰ）だけに拡張箇所用糊代部４０，４０を形成し、それを除く全体または要所要所に、糊代部全巾Ｐとするか、あるいは、実質的に糊代部全巾Ｐに相当する周壁フィット用糊代部４２，４２とし得る形状の接着剤印刷面３が、各単位縦寸法ＦＬ範囲毎に繰り返し模様の如くに形成されてなるものとした、この考案の容器用袋とするシート素材における代表的な一実施例を示すものである。
【００３６】
図２からも明確に把握できるとおり、この考案の容器用袋１とするシート素材１０は、ヒートシール性を有する外の樹脂フィルムと比較して透明性に秀れたポリプロピレンフィルム（ＯＰ）またはポリエチレンテレフタレートフィルム（ＰＥＴ）等からなるロール状に巻き取られた長尺状樹脂フィルム製の素材フィルム２を原材料として生産されたものであって、図１ないし図８中に示すように、同素材フィルム２は、包装の対象となる厚紙製蓋付きの折り箱型容器８の長尺方向に直交する縦断面外周輪郭形状全体を内包状にする最小閉鎖断面形状の断面全周長ＯＢを所要シート巾ＮＷとし、同所要シート巾ＮＷの容器８左右各周壁最小周囲長ＯＢに相当する範囲夫々にガゼット巾Ｇ，Ｇを設定し、該所要シート巾ＮＷの左右側縁に設ける筒型結合用の糊代部巾Ｐとした（ＮＷ+２Ｐ）を全巾寸法ＦＷとし、さらに、その長手方向を、対象とする容器８の胴部長ＢＬに、同容器８の前後各周壁最小周囲長の二等分（Ｇ+Ｇ）／２に相当するマチ７長Ｇ、および、単位シート部前後端縁夫々に設ける袋端結合用の糊代部長（ＥＰ×２）の合計ＢＬ+Ｇ+（ＥＰ×２）に応じた単位縦寸法ＦＬの整数倍またはそれに適宜端数を加えて長尺とした長さ寸法に設定した平板状のものを使用し、図２中に示されるように、印刷工程において前記単位縦寸法ＦＬ（実線ＣＬで区切られた範囲）毎に同一の印刷を繰り返して施すことにより、縦長方向に沿って複数枚の単位シート２１，２１，……が連続的に形成され、各単位シート２１，２１，……の中央には、例えば、図１および図２中に示すように、格子状斜線で示される範囲に商品名や絵、写真等の外各種情報を印刷したものとする。
図１および図２中に格子状斜線で示される範囲には、前記した印刷を施さずに、包装作業中か、またなその前後の何れかの段階で、別に準備された図示しない商品名や絵、写真等の外各種情報を印刷したラベルを貼着するようにしたものとすることができる。
【００３７】
図１および図２中に実線斜線ハッチング範囲で示すように、当該素材フィルム２の複数枚の単位シート２１，２１，……となる長手方向の単位縦寸法ＦＬ範囲毎の、各左右巾方向左右縁であって、各長手方向の一方端から袋端結合用糊代部５となる長さ寸法ＥＰと、それに続く長さ寸法ＳＲとの合計長（ＥＰ+ＳＲ）範囲の拡張箇所用糊代部４０，４０、該拡張箇所用糊代部４０，４０の長手方向中央がわに連続する長さ寸法ＴＲの範囲の誘導用傾斜状糊代部４１，４１、および、それら誘導用傾斜状糊代部４１，４１長手方向他端がわに隣接する長さ寸法ＮＲの範囲の周壁フィット用糊代部４２，４２からなる左右の筒型結合用糊代部４，４夫々に、熱可塑性樹脂からなるホットメルト接着剤を印刷したものとし、各拡張箇所用糊代部４０，４０の左右巾方向の寸法ＰＳは、各周壁フィット用糊代部４２の全巾寸法Ｐから遊び巾αを差し引いた（Ｐ−α）に設定したものとしてあり、また、各誘導用傾斜状糊代部４１，４１の巾寸法は、夫々拡張箇所用糊代部４０左右巾ＰＳ＝（Ｐ−α）から、周壁フィット用糊代部４２の全巾寸法Ｐまで、その輪郭線が直線状に漸次傾斜したものとしてある。
【００３８】
また、同図１および図２中に破線ハッチング範囲で示すように、各単位シート２１，２１，……となる長手方向の単位縦寸法ＦＬ範囲毎の、各長手方向両端縁夫々から、袋端結合用糊代部５，５となる長さ寸法ＥＰの素材フィルム２全巾寸法ＦＷに渡る帯状範囲夫々に、熱可塑性樹脂からなるホットメルト接着剤を印刷したものとし、前記各拡張箇所用糊代部４０，４０、誘導用傾斜状糊代部４１，４１、周壁フィット用糊代部４２，４２および各袋端結合用糊代部５，５の夫々に接着剤を印刷し、長手方向全長に渡ってそれら単位縦寸法ＦＬ範囲毎の接着剤印刷面３が繰り返し模様の如くに形成されてなるものである。
【００３９】
そして、図１および図２中に示すように、単位シート２１は、当該素材フィルム２を、その長手方向の単位縦寸法ＦＬ毎の各カッティングラインＣＬで裁断して複数枚のシート状に分割してなるものであり、該単位シート２１の左右各ガゼット巾Ｇ，Ｇ範囲の、二点鎖線で示す山折り線Ｄ，Ｄ，……および破線で示す谷折り線Ｅ，Ｅ，……に沿って折り曲げ、ガゼット６，６を形成すると共に、左右拡張箇所用糊代部４０，４０、誘導用傾斜状糊代部４１，４１、周壁フィット用糊代部４２，４２、および単位縦寸法ＦＬ方向の拡張箇所用糊代部４０，４０が設けられていないがわの袋端結合用糊代部５を夫々加熱、接着して、図６および図７中に示すような、容器用袋１を製造可能である。
【００４０】
また、図１ないし図４中に示すように、筒状素材フィルム２０は、素材フィルム２の裁断前の段階で、各単位シート２１，２１，……のガゼット６，６を形成すると共に、左右拡張箇所用糊代部４０，４０、誘導用傾斜状糊代部４１，４１、周壁フィット用糊代部４２，４２を加熱、接着して長尺筒状に形成したものか、または、図１ないし図５中に示すように、さらに各単位シート２１，２１，……の単位縦寸法ＦＬ方向の拡張箇所用糊代部４０，４０が設けられていないがわの袋端結合用糊代部５を加熱、接着して複数の容器用袋１，１，……が連なっている状態のものかの何れか一方であり、前記袋端結合用糊代部５を接着していない筒状素材フィルム２０は、その長手方向の単位縦寸法ＦＬ毎の各カッティングラインＣＬで裁断すると同時にか、または裁断後に拡張箇所用糊代部４０，４０が設けられていないがわの袋端結合用糊代部５を加熱、接着して複数の容器用袋１，１，……を製造可能であり、また、拡張箇所用糊代部４０，４０が設けられていないがわの袋端結合用糊代部５を既に接着済みの筒状素材フィルム２０は、その長手方向の単位縦寸法ＦＬ毎の各カッティングラインＣＬで裁断して複数の容器用袋１，１，……を製造可能であり、図１、図３ないし図７に示すように、こうして製造した容器用袋１は、開口部１１に望む所要シート巾ＮＷと拡張箇所用糊代部４０，４０（ＰＳ，ＰＳ）との間に遊び巾α，αに相当する拡張代１２，１２が形成されたものとなる。
【００４１】
図１中に示したように、当該単位シート２１は、接着剤印刷面３の各誘導用傾斜状糊代部４１，４１の同単位シート２１巾方向中央寄りとなる輪郭線を傾斜直線状としたものの外、図１４中に示すもののように曲線状の輪郭線をもつものとすることが可能であり、また、図１５中に示すように、接着剤印刷面３の各拡張箇所用糊代部４０，４０を除いた各誘導用傾斜状糊代部４１，４１から周壁フィット用糊代部４２，４２が、拡張箇所用糊代部４０，４０と同じ巾寸法ＰＳの屈曲帯状となるよう設定されたものとすることができ、さらにまた、図１中に示した、誘導用傾斜状糊代部４１，４１の長手方向寸法ＴＲをゼロに設定し、図１６中に示すように、隣接状となる拡張箇所用糊代部４０，４０から周壁フィット用糊代部４２，４２の接続部分を直線段差状の輪郭に形成したものとすることができる。                                                                                                            
【実施例２】
【００４２】
図１７の長手方向両端に拡張箇所用糊代部４０，４０，……を設定した単位シート２１の平面図に示す事例は、当該単位シート２１の長手方向（単位縦寸法ＦＬ方向）の一方端がわに形成された接着剤印刷面３の各拡張箇所用糊代部４０，４０，……およびそれに連続する誘導用傾斜状糊代部４１，４１が、夫々同一寸法で対称形状となるよう、同長手方向（単位縦寸法ＦＬ方向）の他方端がわにも形成したものであり、また、図１８の各拡張箇所用糊代部４０，４０，……が三角形状に設定された単位シート２１の平面図、および、図１９の三角形状に設定された拡張箇所用糊代部４０の平面図に示すように、各拡張箇所用糊代部４０，４０，……は、その巾寸法ＰＳが、長手方向（長手単位寸法ＦＬ方向）端縁でゼロとなるよう単位シート２１全巾寸法ＦＷ方向端縁に向けて傾斜直線状の輪郭をもつよう形成したものとすることができる。                                                                            
【実施例３】
【００４３】
図２０の周壁フィット用糊代部４２の一部を分散状配置とした単位シート２１の平面図、および図２１の分散状配置の周壁フィット用糊代部４２の平面図に示す事例は、接着剤印刷面３の筒型結合用糊代部４，４の単位シート２１全巾寸法ＦＷ方向端縁に臨む長手方向（単位縦寸法ＦＬ方向）に長い帯形状とした部分の巾寸法が、各拡張箇所用糊代部４０，４０，……の巾寸法ＰＳに一致するよう設定されていると共に、各周壁フィット用糊代部４２，４２の長手方向寸法ＮＲ範囲内の、巾寸法Ｐ範囲の内がわ（同図２０および図２１中に破線で示す）部分に臨む部分が、一列状に配列された複数個の円形状に分断形成された分散状糊代部４３，４３，……としてあり、それら分散状糊代部４３，４３，……は何れも筒型結合用糊代部４，４の巾寸法Ｐの範囲内に収まり、且つ、各外周縁が夫々巾寸法Ｐの内がわ（同図２０および図２１中に破線で示す）に接するよう配置、形成されている。                                                                                                              
【実施例４】
【００４４】
図２２の周壁フィット用糊代部４２の一部を巾方向内側に突出させた単位シート２１の平面図、および図２３の巾方向内側に突出させた周壁フィット用糊代部４２の平面図に示す事例は、接着剤印刷面３の筒型結合用糊代部４，４の単位シート２１全巾寸法ＦＷ方向端縁に臨む長手方向（単位縦寸法ＦＬ方向）に長い帯形状とした部分の巾寸法が、各拡張箇所用糊代部４０，４０，……の巾寸法ＰＳに一致するよう設定されていると共に、各周壁フィット用糊代部４２，４２の巾寸法Ｐの内がわ（同図２２および図２３中に破線で示す）部分に臨む部分が、巾方向内がわに向けて突出する複数の平面舌形状に延伸形成された分散状糊代部４３，４３，……としてあり、それら分散状糊代部４３，４３，……の先端周縁は、何れも筒型結合用糊代部４，４の巾寸法Ｐの範囲内に収まり、且つ、各先端周縁が夫々巾寸法Ｐの内がわ（同図２０および図２１中に破線で示す）に接するよう配置、形成されている。                                                                                                              
【実施例５】
【００４５】
図２４の周壁フィット用糊代部４２の一部を巾方向内側に突出させた単位シート２１の平面図、および図２５の巾方向内側に突出させた周壁フィット用糊代部４２の平面図に示す事例は、接着剤印刷面３の筒型結合用糊代部４，４の単位シート２１全巾寸法ＦＷ方向端縁に臨む長手方向（単位縦寸法ＦＬ方向）に長い帯形状とした部分の巾寸法が、各拡張箇所用糊代部４０，４０，……の巾寸法ＰＳに一致するよう設定されていると共に、各周壁フィット用糊代部４２，４２の巾寸法Ｐの内がわ（同図２２および図２３中に破線で示す）部分に対応する部分が、巾方向内がわに向けて突出する複数の平面舌形状に延伸形成された分散状糊代部４３，４３，……としてあり、それら分散状糊代部４３，４３，……の先端周縁は、何れも筒型結合用糊代部４，４の巾寸法Ｐの範囲より内がわに向けて１ないし数ｍｍ突出し、且つ、各先端周縁がの夫々巾寸法Ｐ範囲内（同図２０および図２１中に破線で示す）から巾方向中央がわに外れた部分は、接着面積を小さくして他の接着剤印刷面３に比べて剥離し易い形状および強度で接着可能なものとしてある。
【００４６】
図２４および図２５に示した、単位シート２１の接着剤印刷面３は、図２６の拡張箇所用糊代部４０の形状を変更した単位シート２１の平面図、および図２７の形状を変更した拡張箇所用糊代部４０の平面図に示すように、その巾寸法ＰＳが、長手方向端縁で１ｍｍ程度となるよう単位シート２１全巾寸法ＦＷ方向端縁に向けて傾斜直線状の輪郭をもつものとして形成したものとすることが可能である外、図２８の拡張箇所用糊代部４０を短縮形成した単位シート２１の平面図、および図２９の短縮形成した拡張箇所用糊代部４０の平面図に示すように、各袋端結合用糊代部長ＥＰの範囲内となる各拡張箇所用糊代部４０，４０，……の長手方向（単位縦寸法ＦＬ方向）端部を、同袋端結合用糊代部長ＥＰの範囲内で短縮形成してなるものとすることが可能である。
【００４７】
（実施例１の作用）
以上のとおりの構成からなるこの考案のシート素材１０は、図１および図２中に示すように、その素材フィルム２の長手方向に複数の単位シート２１，２１，……範囲の夫々各所に、接着剤を印刷して接着剤印刷面３を形成し、左右各ガゼット６，６を折曲形成し、各筒型結合用糊代部４，４，……を重ね合わせて瞬間的に熔着温度まで加熱して接着した上、図２中の各カッティングラインＣＬ，ＣＬ，……で裁断すると共に、図１ないし図５中に示すように、筒状素材フィルム２０の各単位筒状シート２２，２２，……の、拡張箇所用糊代部４０，４０が形成されていないがわの袋端結合用糊代部５，５を加熱して接着し、有底筒状の容器用袋１，１，……の複数枚を連続的に製造することが可能である。
【００４８】
こうして製造した複数枚の容器用袋１，１，……は、各ガゼット６，６が折り畳まれていると共に、各マチ７，７，……が面一状に展開されているから、シート状のものとして複数枚重ねてコンパクトに纏めて輸送および保管することが可能であり、図３ないし図８中に示すように、使用する場合には１枚ずつ取り出して、未だ接着されていない拡張箇所用糊代部４０，４０が形成されているがわの開口を開き、折り箱などの対象とする容器８を、その小口がわから差し込み状に包装することとなるが、その際、該容器用袋１の開口に臨む拡張箇所用糊代部４０，４０は、図６中に示すように、開いて開口面積を拡張するものとなり、しかも図７中に示すように、それらに連続形成した誘導用傾斜状糊代部４１，４１に沿って、図８中の実線矢印に示すように、引っ掛かることなく円滑且つ迅速に差し込むことが可能である。
【００４９】
また、図９中に示すように、対象容器８をその一端小口がわより該容器用袋１に差し込む過程で、折り畳まれていた左右のガゼット６，６が夫々展開状に立ち上がって同対象容器８の左右側壁面に密着状となり、さらに、対象容器８を該容器用袋１の最深部まで移動させると、袋端結合用糊代部５，５が接着済みとなっているがわのマチ７，７が立ち上がり、対象容器８の長手方向深部がわとなった側壁面に密着状となり、図１０中に示すように、開口がわのマチ７，７を対象容器８の長手方向開口がわとなった側壁面に密着させるよう、同開口がわの袋端結合用糊代部５，５を重ね合わせ接着すると同時に、該袋端結合用糊代部５，５端縁適所に開封用のノッチ５０を形成したものとすると、同図１０中に示すように、対象容器８を包装した容器用袋１は、図４および図７に示すように、周壁フィット用糊代部４２，４２が、該対象容器８の胴周りに容器用袋１内周面を密着状にフィットさせるものとなり、同容器用袋１に不要な皺や折り目などを生じることなく、密閉包装するものとなる。
【００５０】
図１、図３、図１０および図１１中に示すように、容器用袋１の拡張箇所用糊代部４０，４０が設けられたがわの袋端結合用糊代部５，５を、そのノッチ５０から切除するか、または剥がして開封し、包装されていた対象容器８を抜き出すようにして取り出した後、例えば、対象容器８内の食品などが残ってしまい、保管のため再び包装しなおす場合などにも、拡張箇所用糊代部４０，４０の拡張代１２，１２を展開状に拡張して簡便に収納することが可能であり、特に、図１２および図１３中に示すように、蓋を持たない対象容器８は、図１３の包装状態では、透明樹脂フィルムを透して食品などの内容物を確認することができる上、開封後には、図１２中に示すように、拡張箇所用糊代部４０，４０を利用して簡便に再包装しなおすことで、容器用袋１が対象容器８の蓋代わりとなり、食品などの内容物を衛生的に保管可能なものとなる。
【００５１】
図１４中に示すように、単位シート２１の誘導用傾斜状糊代部４１，４１の中央がわとなる輪郭形状を曲線形状としたものは、それによって形成した容器用袋１の開口から対象容器８を収容するときに、拡張箇所用糊代部４０，４０から周壁フィット用糊代部４２，４２がわへの移動を、前記図１中に示した傾斜直線状のものと同様に円滑なものとすることが可能であり、また、図１５中に示すように、誘導用傾斜状糊代部４１，４１および周壁フィット用糊代部４２，４２の巾寸法を、拡張箇所用糊代部４０，４０と同じ巾寸法ＰＳに設定してあるから、接着剤の使用量を大幅に削減するものとなり、また、図１中に示した、誘導用傾斜状糊代部４１，４１を、図１６に示すもののように、廃止してなるものであっても、拡張箇所用糊代部４０，４０による容器用袋１開口への対象容器８の収容し易さは確実に確保されるものである。
【００５２】
図１ないし図５および図１４ないし図１６に示す単位シート２１から製造した容器用袋１は、図３０の包装する補強鍔付き容器８の斜視図、および図３１の補強鍔付き容器８を包装した容器用袋１の断面図に示すように、矩形状折り箱型の容器８以外の容器であっても、不要な弛みや皺などを生ずることなく密閉状に包装可能であり、また、図３２の各袋端結合用糊代部５，５，……およびマチ７，７，……の処理を変更した単位筒状シート２２の斜視図、ならびに、図３３の矩形状折り箱型の容器８を包装した単位筒状シート２２の斜視図に示すように、単位筒状シート２２の中央まで容器８を差し込み収納した上、両端開口の各袋端結合用糊代部５，５，……およびマチ７，７，……に相当する範囲を、該容器８の両端小口夫々に重ね合わせるよう畳み込み、各重ね合わせ部分が広がらないよう、封印シール７０，７０を貼着するか、または、重なり面同士を適宜接着して密閉状としてしまうかの何れかとして包装することが可能である。
【００５３】
（実施例２の作用）
図１７中に示すように、単位シート２１の長手方向（単位縦寸法ＦＬ方向）の両端がわ夫々に、対称形状となる拡張箇所用糊代部４０，４０，……を形成したものからなる容器用袋１は、同長手方向（単位縦寸法ＦＬ方向）端の何れからでも、拡張箇所用糊代部４０，４０を拡張させて対象容器８を容易に収納することが可能であり、しかも同長手方向（単位縦寸法ＦＬ方向）の何れを開封した後にも、拡張箇所用糊代部４０，４０を拡張して対象容器８を再度、簡単に収納することが可能となる。
【００５４】
図１８および図１９に示すように、各拡張箇所用糊代部４０，４０，……を、単位シート２１の長手方向（単位縦寸法ＦＬ方向）端がわに向けて、各巾寸法ＰＳが次第にゼロになるよう拡開状とした三角形状に設定してなるものは、図１７中に示したように、巾寸法ＰＳの矩形帯状に形成したものに比較して、容器用袋１開口縁に近づくほど開口面積が拡大するものとなり、より一段と対象容器８を収納し易いものとなる。
【００５５】
（実施例３の作用）
図２０および図２１に示すように、各周壁フィット用糊代部４２，４２の一部が、巾寸法Ｐ範囲の内がわ（同図２０および図２１中に破線で示す）部分に臨むよう、一列状に配列された複数個の円形状に分断形成された分散状糊代部４３，４３，……からなるものは、図１７中に示した、各周壁フィット用糊代部４２，４２と同等の接着範囲を確保できる上、接着剤印刷面３の合計面積を大幅に減少するものとなる。
【００５６】
（実施例４の作用）
図２２および図２３に示すように、各周壁フィット用糊代部４２，４２の巾寸法Ｐの内がわ（同図２２および図２３中に破線で示す）部分に臨む部分が、巾方向内がわに向けて突出する複数の平面舌形状に延伸形成された分散状糊代部４３，４３，……としてあるものは、図１７中に示した、各周壁フィット用糊代部４２，４２と同等の接着範囲を確保できると共に、接着剤印刷面３の合計面積を大幅に減少するものとなる。
【００５７】
（実施例５の作用）
図２４および図２５に示すように、各周壁フィット用糊代部４２，４２の巾寸法Ｐの内がわ（同図２２および図２３中に破線で示す）部分に対応する部分が、巾方向内がわに向けて突出する複数の平面舌形状に延伸形成された分散状糊代部４３，４３，……とし、それら分散状糊代部４３，４３，……の先端がわ接着面積を小さくして他の接着剤印刷面３に比べて剥離し易い形状および強度で接着可能なものとしてあるものは、接着剤印刷面３の合計面積を大幅に減少する上、容器用袋１に対象容器８を収納する過程で、各分散状糊代部４３，４３，……の先端がわ接着部分が僅かに剥離されることとなり、各対象容器８の外周寸法のバラツキにも対応し、個々の対象容器８周壁に、より一段とフィットする包装が可能となる。
【００５８】
図２６および図２７に示すように、各拡張箇所用糊代部４０，４０，……の巾寸法ＰＳが、単位シート２１の長手方向（単位縦寸法ＦＬ方向）端縁で１ｍｍ程度となるよう設定したものは、図１８および図１９に示した、各拡張箇所用糊代部４０，４０，……と同様に、容器用袋１への対象容器８の収納し易さを改善するものとなり、図２６および図２７に示す、単位シート２１から製造した容器用袋１の開口面積は、図２４および図２５に示した単位シート２１から製造した容器用袋１の開口面積よりも大きくなり、対象容器８小口が容器用袋１の開口に一段と引っ掛かり難くなって、より円滑に収納可能なものとなり、また、図２８および図２９に示すように、各袋端結合用糊代部長ＥＰの範囲内となる各拡張箇所用糊代部４０，４０，……を短縮形成した単位シート２１は、接着剤の印刷面積を削減するものとなる。
【００５９】
（実施例１の効果）
以上のような構成からなる実施例１の素材フィルム２は、前記この考案の効果の項で記載の特徴に加え、図１および図２中に示すように、適宜接着剤印刷面３を接着して裁断し、左右にガゼット６，６を形成した有底筒状の容器用袋１，１，……の複数枚を効率的に生産可能であり、それら複数枚の容器用袋１，１，……は、左右ガゼット６，６を折り畳み、且つ前後マチ７，７，……を面一状に展開した状態で、高密度に重ね合わせてコンパクトに纏めることができるから、輸送および収納効率に秀れており、各段に経済的に取り扱うことができる上、図６ないし図９中に示すように、有底筒状の容器用袋１に対象容器８を差し込み収納する作業段階では、開口がわ配置となる袋端結合用糊代部５に未だノッチ５０が加工されていないから、対象容器８の差し込み作業中に、該容器用袋１の開口縁が不用意に破けてしまうのを確実に防止できるものとなる。
【００６０】
加えて、図１０中に示すように、包装完了後の容器用袋１袋端結合用糊代部５には、ノッチ５０が形成されているから、同図１０および図１１中に示すように、同容器用袋１を開封するときには、拡張箇所用糊代部４０，４０が形成されたがわとなるノッチ５０を利用して袋端結合用糊代部５を開封し、対象容器８を取り出すこととなり、一度取り出した対象容器８を再度同容器用袋１内に戻そうとする場合には、拡張箇所用糊代部４０，４０を拡張させて容易に収納操作することができ、このような効果は、特に、図１２および図１３中に示すように、蓋を持たない折り箱型対象容器８を包装した場合に、容器用袋１を開封した後、再度収納して内部の食品などを保存しようとするときに、該容器用袋１が蓋の役目も果たすものとなって、衛生的な保存を実現できるものとなる。
【００６１】
（実施例２の効果）
図１８および図１９中に示す、各拡張箇所用糊代部４０，４０，……は、単位シート２１の長手方向（単位縦寸法ＦＬ方向）端で、各巾寸法ＰＳが次第にゼロになるよう設定された三角形状としてあるから、該単位シート２１から製造した容器用袋１は、それら拡張箇所用糊代部４０，４０，……に臨む開口部の開口面積を最大のものとして、最も挿入作業が容易な容器用袋１を提供可能である。
【００６２】
（実施例３の効果）
図２０および図２１に示す、各周壁フィット用糊代部４２，４２は、それら巾寸法Ｐ範囲の内がわ（同図２０および図２１中に破線で示す）部分に臨む一部が、一列状に配列された複数個の円形状に分断形成された分散状糊代部４３，４３，……からなり、拡張箇所用糊代部範囲部分ＮＲの両端がわとなる各誘導用傾斜状糊代部範囲部分ＴＲ内に、各１固ずつの円形状の分散状糊代部４３，４３を形成したものとしてあり、それら長手方向（単位縦寸法ＦＬ方向）端に配された各分散状糊代部４３，４３の一部円弧形状縁が、各誘導用傾斜状糊代部４１，４１，……を形成するものとしてあり、該単位シート２１から製造した容器用袋１も前述のものと同様に、容器用袋１を円滑に収容することができる。
【００６３】
（実施例４の効果）
図２２および図２３に示す、各周壁フィット用糊代部４２，４２は、巾寸法Ｐの内がわに臨む一部が、複数の平面舌形状に延伸形成された分散状糊代部４３，４３，……からなっていて、長手方向（単位縦寸法ＦＬ方向）端に配された各分散状糊代部４３，４３，……の一部円弧形状縁が、各誘導用傾斜状糊代部４１，４１，……を形成するものとなり、該単位シート２１から製造した容器用袋１も前述のものと同様に容器用袋１を円滑に収容できる。
【００６４】
（実施例５効果）
図２４ないし図２９に示す、単位シート２１は、何れも周壁フィット用糊代部４２，４２の巾寸法Ｐの内がわに臨む一部が、巾方向内がわに向けて突出する複数の平面舌形状に延伸形成された分散状糊代部４３，４３，……としてあり、対象容器８の周壁により一段と密着するよう包装可能なものとなる上、図２６および図２７に示すもののように、各拡張箇所用糊代部４０，４０，……の巾寸法ＰＳが、単位シート２１の長手方向（単位縦寸法ＦＬ方向）端縁で１ｍｍ程度となるよう設定したものであって、その、単位シート２１から製造した容器用袋１は、同容器用袋１に対象容器８を収納するときに、前記実施例２の図１８および図１９に示した、単位シート２１から製造した容器用袋１の次に、その開口部面積を大きく拡張することができるものとなり、同様に各段に高い包装作業性を得られるものとなり、また、図２８および図２９に示すように、各袋端結合用糊代部長ＥＰの範囲内となる各拡張箇所用糊代部４０，４０，……を短縮形成した単位シート２１は、接着剤の使用量を削減して、一段と経済的に容器用袋１を大量生産することができる。
【００６５】
（結  び）
叙述の如く、この考案の容器用袋とするシート素材、およびそれから得られる容器用袋は、その新規な構成によって所期の目的を遍く達成可能とするものであり、しかも製造も容易で、従前からの包装袋技術に比較して、包装作業性を大巾に高めて、短時間の中に大量の対象容器を衛生的に密閉包装することができる上、不要な皺や折り目などが生じず、包装の耐久強度を高め、軽量且つ低廉化して遥かに経済的なものとすることができるものとなることから、従前までの食品用ラップフィルムや熱収縮樹脂フィルムなどによる包装は、効率的に密閉包装できるが、皺が発生して見栄えが悪いという欠点があり、これを解決できずに頭を悩ませていた各種中食業界および菓子業界などはもとより、開封後に対象容器を再度容器用袋に戻して衛生的に保管し易い包装袋はないものかと悩む一般家庭や、こうした再利用に有効な容器用袋の開発を望む包装業界においても高く評価され、広範に渡って利用、普及していくものになると予想される。                                                                      
【図面の簡単な説明】
【００６６】
図面は、この考案の容器用袋とするシート素材、およびそれから得られる容器用袋の技術的思想を具現化した代表的な幾つかの実施例を示すものである。
【図１】単位シートを示す平面図である。
【図２】素材フィルムを示す平面図である。
【図３】図１中Ａ−Ａ部分の容器用袋を示す断面図である。
【図４】図１中Ｂ−Ｂ部分の容器用袋を示す断面図である。
【図５】図１中Ｃ−Ｃ部分の容器用袋を示す断面図である。
【図６】容器用袋を示す斜視図である。
【図７】容器用袋を示す斜視図である。
【図８】容器用袋に収容する容器を示す斜視図である。
【図９】容器用袋に収容した容器を示す斜視図である。
【図１０】包装を完了した容器用袋を示す斜視図である。
【図１１】開封した容器用袋を示す斜視図である。
【図１２】蓋の無い容器を収容する容器用袋を示す斜視図である。
【図１３】蓋無し容器を包装した容器用袋を示す斜視図である。
【図１４】誘導用傾斜状糊代部の形状を変更した単位シートを示す平面図である。
【図１５】筒型結合用糊代部の形状を変更した単位シートを示す平面図である。
【図１６】誘導用傾斜状糊代部を持たない単位シートを示す平面図である。
【図１７】両端に拡張箇所用糊代部を配した単位シートを示す平面図である。
【図１８】三角形状の拡張箇所用糊代部を設けた単位シートを示す平面図である。
【図１９】三角形状の拡張箇所用糊代部を拡大して示す平面図である。
【図２０】分散状糊代部を設けた単位シートを示す平面図である。
【図２１】分散状糊代部を拡大して示す平面図である。
【図２２】平面舌形状の分散状糊代部を設けた単位シートを示す平面図である。
【図２３】平面舌形状の分散状糊代部を拡大して示す平面図である。
【図２４】平面舌形状の分散状糊代部を延伸した単位シートを示す平面図である。
【図２５】延伸した平面舌形状の分散状糊代部を拡大して示す平面図である。
【図２６】拡張箇所用糊代部形状を変更した単位シートを示す平面図である。
【図２７】形状を変更した拡張箇所用糊代部を拡大して示す平面図である。
【図２８】拡張箇所用糊代部を短縮形成した単位シートを示す平面図である。
【図２９】短縮形成した拡張箇所用糊代部を拡大して示す平面図である。
【図３０】包装される補強鍔付き容器を示す斜視図である。
【図３１】補強鍔付き容器を包装した容器用袋を示す断面図である。
【図３２】マチ処理を変更した単位筒状シートを示す斜視図である。
【図３３】折り箱型容器を包装した単位筒状シート２２を示す斜視図である。
【符号の説明】
【００６７】
１      容器用袋
１０    同  シート素材
１１    同  開口部
１２    同  拡張代
２      素材フィルム
２０    同  筒状素材フィルム
２１    同  単位シート
２２    同  単位筒状シート
３      接着剤印刷面
４      筒型結合用糊代部
４０    同  拡張箇所用糊代部
４１    同  誘導用傾斜状糊代部
４２    同  周壁フィット用糊代部
４３    同  分散状糊代部
５      袋端結合用糊代部
５０    同  ノッチ
６      ガゼット
７      マチ
７０    同  封印シール
８      対象とする容器
ＦＬ      単位シート長手方向の単位縦全長寸法
ＣＬ      カッティングライン
ＦＷ      素材フィルム全巾寸法（ＮＷ+２Ｐ）
ＮＷ      所要シート巾（ＮＷ＝ＯＢ）
Ｇ      ガゼット巾（マチ長）
Ｄ      山折り線
Ｅ      谷折り線
Ｇ／２      長手方向一端がわのマチ長
Ｐ      筒型結合用糊代部範囲巾
ＰＳ      拡張箇所用糊代部範囲巾
α      遊び巾
ＥＰ      長手方向一端がわの袋端結合用糊代部長
（ＥＰ+ＳＲ）  拡張箇所用糊代部範囲長さ
ＳＲ      拡張箇所用糊代部から袋端結合用糊代部を差引いた長さ
ＴＲ      誘導用傾斜状糊代部４１範囲長さ
ＮＲ      周壁フィット用糊代部４２範囲長さ
ＯＢ      容器最小閉鎖断面形の断面全周長（ＯＢ＝ＮＷ）
ＢＬ      対象とする容器の胴部長
ＢＷ      対象とする容器の胴部巾
【図１】
0003152840.tif 000003
【図２】
0003152840.tif 000004
【図３】
0003152840.tif 000005
【図４】
0003152840.tif 000006
【図５】
0003152840.tif 000007
【図６】
0003152840.tif 000008
【図７】
0003152840.tif 000009
【図８】
0003152840.tif 000010
【図９】
0003152840.tif 000011
【図１０】
0003152840.tif 000012
【図１１】
0003152840.tif 000013
【図１２】
0003152840.tif 000014
【図１３】
0003152840.tif 000015
【図１４】
0003152840.tif 000016
【図１５】
0003152840.tif 000017
【図１６】
0003152840.tif 000018
【図１７】
0003152840.tif 000019
【図１８】
0003152840.tif 000020
【図１９】
0003152840.tif 000021
【図２０】
0003152840.tif 000022
【図２１】
0003152840.tif 000023
【図２２】
0003152840.tif 000024
【図２３】
0003152840.tif 000025
【図２４】
0003152840.tif 000026
【図２５】
0003152840.tif 000027
【図２６】
0003152840.tif 000028
【図２７】
0003152840.tif 000029
【図２８】
0003152840.tif 000030
【図２９】
0003152840.tif 000031
【図３０】
0003152840.tif 000032
【図３１】
0003152840.tif 000033
【図３２】
0003152840.tif 000034
【図３３】
0003152840.tif 000035